(57)【要約】【課題】  家具とは別に照明器具を購入する必要がなく、省スペース化の効果もあり、デザイン的にユニークで統一感のある家具が構築できる実用性の高い家具用部材を提供する。【解決手段】  側壁に投光窓（５）が明けられた筒体（１）と、上記筒体（１）の内部に設けられた照明灯（７）と、上記照明灯（７）への電力供給手段（１０，１１）と、家具の支脚、支柱又は支骨として上記筒体を当該家具の他の構成部材と連結するための連結手段（２）と、から構成されたことを特徴とする。投光窓（５）には透光板（６）を取り付けることが望ましい。筒体（１）に投光窓（５）を設ける代わりに、筒体（1 ）自体を透光性の材質で作製してもよい。照明灯（７）としては、通常、電球（８）や蛍光灯（９）が用いられる。【選択図】図１
0003105035.tif 000002
【実用新案登録請求の範囲】
【請求項１】
側壁に投光窓（５）が明けられた筒体（１）と、上記筒体（１）の内部に設けられた照明灯（７）と、上記照明灯（７）への電力供給手段（１０，１１）と、家具の支脚、支柱又は支骨として上記筒体を当該家具の他の構成部材と連結するための連結手段（２）と、から構成されたことを特徴とする照明灯付き家具用部材。
【請求項２】
上記投光窓（５）に透光板（６）を取り付けたことを特徴とする請求項１に記載の照明灯付き家具用部材。
【請求項３】
透光性の材質で作製された筒体（１）と、上記筒体（１）の内部に設けられた照明灯（７）と、上記照明灯（７）への電力供給手段（１０，１１）と、家具の支脚、支柱又は支骨として上記筒体を当該家具の他の構成部材と連結するための連結手段（２）と、から構成されたことを特徴とする照明灯付き家具用部材。
【請求項４】
上記連結手段が、筒体（１）の上端、下端又は側壁のうちから選ばれた少なくとも１箇所に取り付けられた継ぎ手（２）であることを特徴とする請求項１から３までの何れか一に記載の照明灯付き家具用部材。
【請求項５】
上端の継ぎ手（２）に、物置板（３）を取り付けたことを特徴とする請求項４に記載の照明灯付き家具用部材。
【請求項６】
下端の継ぎ手（２）に、台座（４）を取り付けたことを特徴とする請求項４に記載の照明灯付き家具用部材。
【請求項７】
上記照明灯（７）への電力供給手段が、商用交流電源に接続するための電源コード（１０）と、照明灯オンオフ用の電源スイッチ（１１）とから構成されたことを特徴とする請求項１から６までの何れか一に記載の照明灯付き家具用部材。
【請求項８】
上記照明灯（７）への電力供給手段が、筒体（１）内に収容した電池と、当該電池と照明灯（７）を接続する電線と、照明灯オンオフ用の電源スイッチとから構成されたことを特徴とする請求項１から６までの何れか一に記載の照明灯付き家具用部材。
【請求項９】
一つの家具に複数本の同様の照明灯付き家具用部材を使用する場合において、上記電力供給手段が、電源に対してそれらの複数の照明灯（７）同士を直列又は並列に接続し、１個の電源スイッチですべての照明灯（７）が同時にオンオフされるよう構成されたことを特徴とする請求項１から８までの何れか一に記載の照明灯付き家具用部材。
【請求項１０】
上記物置板（３）及び／又は台座（４）が、ガラス板、木板、金属板、セラミックス板の何れか一で作製されたことを特徴とする請求項１から９までの何れか一に記載の照明灯付き家具用部材。
【考案の詳細な説明】
【技術分野】
【０００１】
本考案は、照明灯付き家具用部材に係り、特に、物置棚やテーブル、ベッド、箪笥等の家具を組み立てるときに、その支脚、支柱又は支骨などとして直接用いられる部材であって、それ自体が照明灯を具備した家具用部材に関するものである。
【背景技術】
【０００２】
従来、物置棚やテーブル、箪笥などの家具それ自体には、いずれも照明装置は付いておらず、通常は照明器具を別途購入して、これらの家具の上や脇に置いたり取り付けたりして使用していた。そのため、使用者は照明器具を別に買い求める必要があり、コスト高になるとともに、テーブルなどに置いた照明器具は不測の外力を受けて転倒、落下して破損することも稀ではなく、また、家具とは別に照明器具を購入して設置すると、家具とのデザイン上の統一感が得られず、外観的に問題が生じる場合も多かった。
【考案の開示】
【考案が解決しようとする課題】
【０００３】
本考案は上記の問題点を解決するためなされたものであり、その目的とするところは、家具の支脚、支柱又は支骨などとして直接用いられる部材自体が照明器具としての役割をも果たし、それにより、使用者は家具とは別に照明器具を購入する必要がなく、省スペース化の効果もあり、また、 デザイン的にユニークで統一感のある家具が構築できる、等々、多くの利点を有する実用性の高い家具用部材を提供することにある。
【課題を解決するための手段】
【０００４】
上記の問題点を解決するため、請求項１に記載の本考案に係る照明灯付き家具用部材は、側壁に投光窓が明けられた筒体と、上記筒体の内部に設けられた照明灯と、上記照明灯への電力供給手段と、家具の支脚、支柱又は支骨として上記筒体を当該家具の他の構成部材と連結するための連結手段と、から構成されたことを特徴とする。
その場合、請求項２に記載の如く、上記投光窓に透光板を取り付けることが推奨される。当該透光板は、無色透明なもののほか、青色、緑色、橙色、等々の様々な色に着色された透明もしくは半透明な透光板を用いることができる。
【０００５】
上記投光窓を設ける代わりに、請求項３に記載の本考案に係る照明灯付き家具用部材は、上記筒体自体を、透光性の材質で作製したことを特徴とする。この場合、筒体は、無色半透明なもののほか、青色、緑色、橙色、等々の様々な色で着色されたり、模様付けされた透明もしくは半透明な筒体を用いることができる。
【０００６】
請求項４に記載の本考案は、請求項１から３までの何れか一に記載の照明灯付き家具用部材において、上記連結手段が、筒体の上端、下端又は側壁のうちから選ばれた少なくとも１箇所に取り付けられた継ぎ手であることを特徴とする。
請求項５に記載の本考案は、請求項４に記載の照明灯付き家具用部材において、上端の継ぎ手に、物置板を取り付けたことを特徴とする。
請求項６に記載の本考案は、請求項４に記載の照明灯付き家具用部材において、下端の継ぎ手に、台座を取り付けたことを特徴とする。
請求項７に記載の本考案は、請求項１から６までの何れか一に記載の照明灯付き家具用部材において、上記照明灯への電力供給手段が、商用交流電源に接続するための電源コードと、照明灯オンオフ用の電源スイッチとから構成されたことを特徴とする。
請求項８に記載の本考案は、請求項１から６までの何れか一に記載の照明灯付き家具用部材において、上記照明灯への電力供給手段が、筒体内に収容した電池と、当該電池と照明灯を接続する電線と、照明灯オンオフ用の電源スイッチとから構成されたことを特徴とする。
請求項９に記載の本考案は、請求項１から８までの何れか一に記載の照明灯付き家具用部材において、一つの家具に複数本の同様の照明灯付き家具用部材を使用する場合において、上記電力供給手段が、電源に対してそれらの複数の照明灯同士を直列又は並列に接続し、１個の電源スイッチですべての照明灯が同時にオンオフされるよう構成されたことを特徴とする。
請求項１０に記載の本考案は、請求項１から９までの何れか一に記載の照明灯付き家具用部材において、上記物置板及び／又は台座が、ガラス板、木板、金属板、セラミックス板の何れか一で作製されたことを特徴とする。
【０００７】
なお、上記筒体としては、その軸直角断面が円形のもののほか、四角形、六角形等の多角形のもの、半月形、楕円形のものなど、作製される家具の態様やデザイン上の観点から様々な断面形状のものを採用でき、それらのすべてが本考案の範囲内に含まれる。
また、 この筒体の全体的形状は、長手方向に直棒状に伸びるものに限らず、円弧状に湾曲したものや、Ｌ字形やＴ字形に屈曲したものも可能であり、それらのすべてが本考案の範囲内に含まれる。
また、上記照明灯としては、通常は、電球（白熱灯もしくは着色電球）や蛍光灯が用いられるが、その他の発光手段を用いることも可能である。
筒体への前記継ぎ手の取付け手段としては、筒体の側壁に明けた孔を通じて、継ぎ手の側面に明けたネジ孔へ固定ネジをねじ込んで固定したり、筒体に形成したＬ字形スロットに、継ぎ手の側面に設けた突起を嵌め入れて固定したり、等々、任意の手段を用いて取り付けることができる。
筒体の側壁に明けられる透光窓の形状や数、配置は、組み立てられる家具の種類や使用場面、デザイン上の観点から、自由に選択、決定し得るものであり、それらのすべてが本考案の範囲内に含まれる。
更にまた、照明灯を長時間点灯したとき、筒体内が高温になるのを防止するため、筒体の側壁の上部と下部に通気孔を明けておくことも推奨される。
【考案の効果】
【０００８】
上記の如き構成を有する本考案の家具用部材であると、これを家具の支脚、支柱、支骨などとして直接用いることができ、その支脚や支柱もしくは支骨自体が照明器具としての役割をも果たすため、使用者は家具とは別に照明器具を購入する必要がなく、省スペース化の効果も達成でき、更にまた、支脚や支骨自体から光が放射されるので、デザイン的にきわめてユニークで、別の照明器具を用いる場合に比べてすっきりとした統一感のある家具が構築できる、等々、従来にない多くの優れた効果を達成し得るものである。
【考案を実施するための最良の形態】
【０００９】
以下、図面に示す実施例を参照しつゝ、本考案を実施するための最良の形態について具体的に説明する。
【実施例】
【００１０】
図１は、本考案に係る照明灯付き家具用部材の一実施例を示す分解斜視図、
図２は、本考案に係る家具用部材の筒体内に照明灯としての電球を取り付けた実施例を示す断面図、
図３は、本考案に係る家具用部材の筒体内に照明灯としての蛍光灯を取り付けた実施例を示す断面図、
図４は、本考案に係る家具用部材の筒体の側壁の上部に略円形の投光窓を明け、その投光窓に透光板を取り付けた実施例を示す外観斜視図、
図５は、本考案に係る家具用部材の筒体の側壁の上部及び下部に略円形の投光窓を明け、それらの投光窓に透光板を取り付けた実施例を示す外観斜視図、
図６は、本考案に係る家具用部材の筒体の側壁の略全長にわたって縦長の投光窓を明け、その投光窓に透光板を取り付けた実施例を示す外観斜視図である。
【００１１】
図１及び図２に示す実施例に係る本考案の照明灯付き家具用部材は、側壁に投光窓５が明けられた筒体１と、この筒体１の内部に設けられた電球８等の照明灯７と、上記照明灯７へ電力を供給する電源コード１０やオンオフ用スイッチ１１等から成る電力供給手段と、家具の支脚、支柱又は支骨として上記筒体を当該家具の他の構成部材と連結するための継ぎ手２等の連結手段と、から構成されている。
【００１２】
投光窓５は透光板６でカバーされ、電球８の光は、この透光板６を通じて外部へ放散されるようになっている。
図２に示した実施例では、筒体１の内部に設けられる照明灯７として電球８を用いているが、図３に示す実施例のように蛍光灯９を用いるようにしてもよく、更にその他の発光装置を用いることも可能である。
透光板６としては、無色透明なもののほか、青色、緑色、橙色、等々の様々な色に着色された透明もしくは半透明のガラスもしくはプラスチック板を用いることができる。
【００１３】
これらの図に示した実施例においては、筒体１を家具の別の部材と連結、固定するために、筒体１の上端と下端の開孔にそれぞれ継ぎ手２が嵌め込まれ、この継ぎ手２が固定ネジ２３によって筒体１に固定されるようになっている。即ち、筒体の側壁に明けた孔を通じて、継ぎ手の側面に明けたネジ孔２１へ固定ネジ２３をねじ込んで固定するようになっている。
継ぎ手２の外周面には、電源コード嵌込み溝２２が形成され、電源コード１０はこの溝を通じて筒体の内部へ挿通され、照明灯７に接続されるようになっている。電源コード１０の途中には電源スイッチ１１が取り付けられ、照明灯７のオンオフ操作を行い得るようになっている。
また、継ぎ手２には、その中心軸に沿って連結ネジ孔２４が明けられ、家具を組み立てるときに、筒体１を他の構成部材と連結するためのネジがこの連結ネジ孔２４にねじ込まれるようになっている。
図示した実施例では、継ぎ手２を固定ネジ２３を用いて筒体１に固定するようにしたが、それ以外にも、例えば、筒体の両端開口部近くの側壁にＬ字形スロットを形成し、このＬ字形スロットに、継ぎ手２の側面に設けた突起を嵌め入れて固定したりするなど、任意の手段を用いて固定することができる。
【００１４】
図４、図５、図６には、投光窓５の数、形状、配置のそれぞれ異なった実施例が示されている。即ち、図４に示す実施例では、筒体１の側壁の上部に略円形の投光窓５を設け、その投光窓を透光板６でカバーしてある。図５に示す実施例では、筒体１の側壁の上部及び下部に略円形の投光窓５を明け、それらの投光窓をそれぞれ透光板６でカバーしてある。また、図６に示す実施例では、筒体１の側壁の略全長にわたって縦長の投光窓５を明け、その投光窓を透光板６でカバーしてある。
このように、筒体１の側壁に明けられる透光窓５の形状や数、配置は、組み立てられる家具の種類や使用場面、デザイン上の観点から、自由に選択、決定し得るものである。
【００１５】
なお、図１〜図６に示した実施例において、筒体１は、その軸直角断面が円形であるが、本考案は必ずしもこれに限定されず、軸直角断面が四角形（図１７参照）、六角形等の多角形のものや、半月形、楕円形のものなど、作製される家具の態様やデザイン上の観点から様々な断面形状のものを採用し得るものである。
また、照明灯を長時間点灯したとき、筒体１内が高温になるのを防止するため、筒体１の側壁の上部と下部、その他適宜の箇所に通気孔を明けておき、筒体１内の自然換気が行われるように構成することも推奨される。
更にまた、図１〜図６に示した実施例において、家具の別の構成部材との連結手段としての継ぎ手２は、筒体１の上端及び下端に取り付けられているが、本考案は必ずしもこれに限定されず、他の構成部材との配置関係に応じて、筒体１の側壁（図１５参照）に所要の継ぎ手その他の連結手段を設ける場合もある。
【００１６】
以下、図７〜図１７を参照しつつ、本考案に係る照明灯付き家具用部材を用いて組み立てられる家具の様々な例を具体的に説明する。
図７には、前記図１、図２、図４に示したような本考案に係る１本の家具用部材を支脚として用い、その上端の継ぎ手に矩形のガラス製の物置板３を取り付けると共に、下端の継ぎ手にガラスその他の材質から成る矩形の台座４を取り付けて成る物置台が示してある。
図８には、同様に、本考案に係る１本の家具用部材を支脚として用い、その上端の継ぎ手に円形のガラス製の物置板３を取り付けると共に、下端の継ぎ手にガラスその他の材質から成る円形の台座を取り付けて成る物置台が示してある。
上記物置板３及び台座４は、ガラス板のほか、木板、金属板、セラミックス板等々、家具の用途やデザイン上の観点などから最適の材質のものが選択、決定される。
【００１７】
図９には、本考案に係る家具用部材を２本の支柱として用い、３段の物置棚を組み立てた例が示されている。この場合、筒体１の上端の継ぎ手には最上段の物置板３が取り付けられているが、下端の継ぎ手には何も取り付けられていない。
また、中段や下段の物置板を支持するためのフレームを固定するため、筒体１の側壁の中間位置に適宜の継ぎ手等の連結手段が設けられている。
図１０には、本考案に係る家具用部材を２本の支柱として用い、４段の物置棚を組み立てた例が示されている。
図１１には、本考案に係る家具用部材を２本の支柱として用い、段数及び段の間隔を変更可能な物置棚を組み立てた例が示されている。
図１２には、本考案に係る家具用部材を２本の支柱として用い、段数及び段の間隔を変更可能な物置棚を組み立てたもう一つの例が示されている。
なお、これらの物置棚において、本考案に係る家具用部材の投光窓は、いずれも物置板とは反対側の前方を向くように取り付けられているが、これらの物置棚を例えば宝飾品等の陳列棚として使用し、物置板上に宝石等の宝飾品を並べて陳列する場合には、投光窓からの投射光がそれらの宝飾品に当たって輝くように、投光窓を物置板の側へ向けて組み立てるようにすることが推奨される。
【００１８】
図１３には、本考案に係る家具用部材を４本の支脚として用い、テーブルを組み立てた例が示されている。
図１４には、本考案に係る家具用部材を４本の支脚として用いて、パソコン用テーブルを組み立てた例が示されている。なお、後側の２本の支脚について、照明が必要でない場合には、前側の２本の支脚についてだけ本考案の家具用部材を用いるようにしてもよい。
【００１９】
図１５には、本考案に係る家具用部材を支柱として用いて、ベッドを組み立てた例が示されている。この例では、ベッドの頭側の２本の支柱に本考案の家具用部材を用いており、その筒体１の側壁に、ベッドの別の部材との連結手段（継ぎ手等）が取り付けられている。
【００２０】
図１６には、本考案に係る家具用部材を支脚として用い、大型のパソコン用テーブルを組み立てた例が示されている。この例では、合計８本の支脚のうち、手前側の４本の支脚に本考案の照明灯付き家具用部材が用いられている。
【００２１】
図１７には、本考案に係る家具用部材であって、筒体の軸直角断面が四角形のものを４本の支柱として用い、５段の物置棚を組み立てた例が示されている。
【００２２】
以上に述べた実施例では、いずれも筒体１の側壁に投光窓５を明けて、そこから筒体内部の照明灯の光を放射させるように構成したが、投光窓５を設ける代わりに、筒体１自体を透光性の材質で作製し、筒体内部の照明灯の光が筒体１の側壁を通過して外部に放散されるように構成することも可能である。
その場合、筒体１は、無色半透明なもののほか、青色、緑色、橙色、等々の様々な色で着色したり、模様付けした透明もしくは半透明なものを用いることも推奨される。
【００２３】
また、これまでに述べた実施例では、筒体１の全体的形状は、いずれも長手方向に直棒状に伸びるものであったが、本考案はこれに限らず、円弧状に湾曲した筒体や、Ｌ字形やＴ字形に屈曲した筒体とすることも可能である。
また、これまでに述べた実施例では、筒体１が家具の縱向きの支柱や支脚となるように組み立てたが、筒体１が家具の横向きの支骨又はフレームとなるように組み立てることも可能である。
【００２４】
図９〜図１７に示す家具のように、一つの家具に複数本の本考案の照明灯付き家具用部材を使用する場合においては、それぞれの家具用部材の電源コードに電源スイッチやプラグを取り付けることなく、電源に対してそれらの複数の家具用部材の照明灯同士を直列又は並列に接続し、１個の電源スイッチですべての照明灯が同時にオンオフされるよう構成することが望ましい。
【００２５】
また、照明灯の使用頻度が少ない家具に用いる家具用部材の場合には、照明灯の電源として商用交流電源を使用することなく、電力供給手段として、筒体１内に収容した電池と、当該電池と照明灯を接続する電線と、照明灯オンオフ用の電源スイッチとから構成されるものを用いることも可能である。
【００２６】
なお、本考案は上記実施例に限定されるものではなく、その目的の範囲内において、上記の説明から当業者が容易に想到し得るすべての変更実施例を包摂するものである。
【産業上の利用可能性】
【００２７】
本考案は、以上の如く構成されるので、本考案に係る家具用部材を支脚、支柱、支骨などとして家具を組み立てると、その支脚、支柱、支骨自体が照明器具としての役割をも果たすため、使用者は家具とは別に照明器具を購入する必要がなく、節約が可能であると共に、省スペース化の効果も奏し、更にまた、支脚や支骨自体から光が放射されるので、デザイン的にきわめてユニークで、別の照明器具を用いる場合に比べてすっきりとした統一感のある家具が構築できる、等々、従来にない多くの優れた効果を達成し得るものであるから、本考案は産業上多大の利用可能性を有するものである。
【図面の簡単な説明】
【００２８】
【図１】本考案に係る照明灯付き家具用部材の一実施例を示す分解斜視図である。
【図２】本考案に係る家具用部材の筒体内に照明灯としての電球を取り付けた実施例を示す断面図である。
【図３】本考案に係る家具用部材の筒体内に照明灯としての蛍光灯を取り付けた実施例を示す断面図である。
【図４】本考案に係る家具用部材の筒体の側壁の上部に略円形の投光窓を明け、その投光窓に透光板を取り付けた実施例を示す外観斜視図である。
【図５】本考案に係る家具用部材の筒体の側壁の上部及び下部に略円形の投光窓を明け、それらの投光窓に透光板を取り付けた実施例を示す外観斜視図である。
【図６】本考案に係る家具用部材の筒体の側壁の略全長にわたって縦長の投光窓を明け、その投光窓に透光板を取り付けた実施例を示す外観斜視図である。
【図７】本考案に係る１本の家具用部材を支脚として用い、その上端に矩形の物置板、下端に矩形の台座を取り付けて成る物置台の一例を示す外観斜視図である。
【図８】本考案に係る１本の家具用部材を支脚として用い、その上端に円形の物置板、下端に円形の台座を取り付けて成る物置台のもう一つの例を示す外観斜視図である。
【図９】本考案に係る家具用部材を２本の支柱として用いて３段の物置棚を組み立てた例を示す外観斜視図である。
【図１０】本考案に係る家具用部材を２本の支柱として用いて４段の物置棚を組み立てた例を示す外観斜視図である。
【図１１】本考案に係る家具用部材を２本の支柱として用いて、段数及び段の間隔を変更可能な物置棚を組み立てた例を示す外観斜視図である。
【図１２】本考案に係る家具用部材を２本の支柱として用いて、段数及び段の間隔を変更可能な物置棚を組み立てたもう一つの例を示す外観斜視図である。
【図１３】本考案に係る家具用部材を４本の支脚として用いて、テーブルを組み立てた例を示す外観斜視図である。
【図１４】本考案に係る家具用部材を４本の支脚として用いて、パソコン用テーブルを組み立てた例を示す外観斜視図である。
【図１５】本考案に係る家具用部材を支柱として用いて、ベッドを組み立てた例を示す外観斜視図である。
【図１６】本考案に係る家具用部材を支脚として用いて、大型のパソコン用テーブルを組み立てた例を示す外観斜視図である。
【図１７】本考案に係る家具用部材であって、筒体の軸直角断面が四角形のものを４本の支柱として用い、５段の物置棚を組み立てた例を示す外観斜視図である。
【符号の説明】
【００２９】
１    筒体
２    継ぎ手
２１  ネジ孔
２２  電源コード嵌込み溝
２３  固定ネジ
２４  連結ネジ孔
３    物置板
４    台座
５    投光窓
６    透明板
７    照明灯
８    電球
９    蛍光灯
１０  電源コード
１１  電源スイッチ
【図１】
0003105035.tif 000003
【図２】
0003105035.tif 000004
【図３】
0003105035.tif 000005
【図４】
0003105035.tif 000006
【図５】
0003105035.tif 000007
【図６】
0003105035.tif 000008
【図７】
0003105035.tif 000009
【図８】
0003105035.tif 000010
【図９】
0003105035.tif 000011
【図１０】
0003105035.tif 000012
【図１１】
0003105035.tif 000013
【図１２】
0003105035.tif 000014
【図１３】
0003105035.tif 000015
【図１４】
0003105035.tif 000016
【図１５】
0003105035.tif 000017
【図１６】
0003105035.tif 000018
【図１７】
0003105035.tif 000019